(57)【特許請求の範囲】
【請求項１】
用紙の面に描画されるページの数を設定する設定手段と、
前記用紙の裏面に対して前記ページの枠線を描画することを指定する指定手段と、
前記設定手段によって用紙の面に複数のページを描画することが設定され、かつ、前記指定手段によって前記用紙の裏面に対してページの枠線を描画することが指定された場合に、前記設定手段の設定に従って前記用紙の表面に複数のページが描画され、かつ、前記用紙の表面にページの枠線が描画されず、かつ、前記用紙の裏面に前記用紙の表面に描画された複数のページに対応する枠線が描画され、かつ、前記用紙の裏面にページが描画されないような印刷データを生成する生成手段と、
を備えることを特徴とする情報処理装置。
【請求項２】
アプリケーションから出力された印刷命令を中間データに変換する変換手段と、
前記変換手段において変換された前記中間データをスプールするスプール手段と、を更に備え、
前記生成手段は、前記スプール手段においてスプールされた前記中間データに基づいて前記印刷データを生成することを特徴とする請求項１に記載の情報処理装置。
【請求項３】
用紙の両面にページを描画すること、および、用紙の面に描画されるページの数を設定する設定手段と、
前記用紙の裏面に対してページの枠線を描画することを指定する指定手段と、
前記設定手段によって用紙の両面にページを描画すること、および、用紙の面に複数のページを描画することが設定され、かつ、前記指定手段によって前記用紙の裏面に対してページの枠線を描画することが指定された場合に、前記設定手段の設定に従って前記用紙の表面に複数の奇数ページが描画され、かつ、前記用紙の表面にページの枠線が描画されず、かつ、前記設定手段の設定に従って前記用紙の裏面に複数の偶数ページが描画され、かつ、前記用紙の裏面にページの枠線が描画されるような印刷データを生成する生成手段と、
を備えることを特徴とする情報処理装置。
【請求項４】
設定手段が、用紙の面に描画されるページの数を設定する設定工程と、
指定手段が、前記用紙の裏面に対して前記ページの枠線を描画することを指定する指定工程と、
前記設定工程によって用紙の面に複数のページを描画することが設定され、かつ、前記指定工程によって前記用紙の裏面に対してページの枠線を描画することが指定された場合に、生成手段が、前記設定工程の設定に従って前記用紙の表面に複数のページが描画され、かつ、前記用紙の表面にページの枠線が描画されず、かつ、前記用紙の裏面に前記用紙の表面に描画された複数のページに対応する枠線が描画され、かつ、前記用紙の裏面にページが描画されないような印刷データを生成する生成工程と、
を有することを特徴とする情報処理装置の制御方法。
【請求項５】
変換手段が、アプリケーションから出力された印刷命令を中間データに変換する変換工程と、
スプール手段が、前記変換工程において変換された前記中間データをスプールするスプール工程と、を更に有し、
前記生成工程は、前記スプール工程においてスプールされた前記中間データに基づいて前記印刷データを生成することを特徴とする請求項４に記載の情報処理装置の制御方法。
【請求項６】
設定手段が、用紙の両面にページを描画すること、および、用紙の面に描画されるページの数を設定する設定工程と、
指定手段が、前記用紙の裏面に対してページの枠線を描画することを指定する指定工程と、
前記設定工程によって用紙の両面にページを描画すること、および、用紙の面に複数のページを描画することが設定され、かつ、前記指定工程によって前記用紙の裏面に対してページの枠線を描画することが指定された場合に、生成手段が、前記設定工程の設定に従って前記用紙の表面に複数の奇数ページが描画され、かつ、前記用紙の表面にページの枠線が描画されず、かつ、前記設定工程の設定に従って前記用紙の裏面に複数の偶数ページが描画され、かつ、前記用紙の裏面にページの枠線が描画されるような印刷データを生成する生成工程と、
を有することを特徴とする情報処理装置の制御方法。
【請求項７】
請求項４乃至６のいずれか１項に記載の情報処理装置の制御方法をコンピュータに実行させるためのプログラムを格納したことを特徴とするコンピュータにより読み取り可能な記憶媒体。
【発明の詳細な説明】
【０００１】
【発明の属する技術分野】
本発明は、情報処理装置、情報処理装置の制御方法、及び記憶媒体に関する。
【０００２】
【従来の技術】
印刷データをいったんスプールして、体裁を加工するというような、ホスト側での処理方法によって複数ページの縮小レイアウトが可能である。この方法においては、１ページに割り付けるページ数の上限は現在では１６程度である。また、縮小レイアウトされた印刷データに対して、ページ枠を付加するといった効果を提供している。
【０００３】
【発明が解決しようとする課題】
上述の枠線については、切り取り線としても効果的であるが、両面印刷時には切り取り線としての枠線は片面にのみ必要である。しかしながら、現状のページ枠機能においては両面印刷時には両面に枠が描画されてしまい、給紙の誤差によっては表面裏面で枠がずれてしまうという問題があった。本発明は上記のような切り取り線としてのページ枠の利用を効率的に行うためになされたもので、切り取り線を効果的に付加する印刷を提供することを目的とする。
【０００４】
【課題を解決するための手段】
上記目的を達成する本発明にかかる情報処理装置は以下の構成を備えることを特徴とする。
【０００５】
すなわち、情報処理装置は、用紙の面に描画されるページの数を設定する設定手段と、
前記用紙の裏面に対して前記ページの枠線を描画することを指定する指定手段と、
前記設定手段によって用紙の面に複数のページを描画することが設定され、かつ、前記指定手段によって前記用紙の裏面に対してページの枠線を描画することが指定された場合に、前記設定手段の設定に従って前記用紙の表面に複数のページが描画され、かつ、前記用紙の表面にページの枠線が描画されず、かつ、前記用紙の裏面に前記用紙の表面に描画された複数のページに対応する枠線が描画され、かつ、前記用紙の裏面にページが描画されないような印刷データを生成する生成手段と、を備えることを特徴とする。
【０００６】
すなわち、情報処理装置は、用紙の両面にページを描画すること、および、用紙の面に描画されるページの数を設定する設定手段と、
前記用紙の裏面に対してページの枠線を描画することを指定する指定手段と、
前記設定手段によって用紙の両面にページを描画すること、および、用紙の面に複数のページを描画することが設定され、かつ、前記指定手段によって前記用紙の裏面に対してページの枠線を描画することが指定された場合に、前記設定手段の設定に従って前記用紙の表面に複数の奇数ページが描画され、かつ、前記用紙の表面にページの枠線が描画されず、かつ、前記設定手段の設定に従って前記用紙の裏面に複数の偶数ページが描画され、かつ、前記用紙の裏面にページの枠線が描画されるような印刷データを生成する生成手段と、を備えることを特徴とする。
【０００８】
【発明の実施の形態】
（実施形態１）
以下、本発明を適用するのに好適である実施形態について説明を行う。
【０００９】
図１は本発明の実施形態を示すプリンタ制御システムの構成を説明するブロック図である。なお、本発明の機能が実行されるのであれば、単体の機器であっても、複数の機器からなるシステムであっても、ＬＡＮ，ＷＡＮ等のネットワークを介して接続が為され処理が行われるシステムであっても本発明を適用できる。
【００１０】
同図において、ホストコンピュータ３０００はＲＯＭ３のプログラム用ＲＯＭあるいは外部メモリ１１に記憶された文書処理プログラム等に基づいて図形、イメージ、文字、表（表計算等を含む）等が混在した文書処理を実行するＣＰＵ１を備え、システムバス４に接続される各デバイスをＣＰＵ１が総括的に制御する。また、このＲＯＭ３のプログラム用ＲＯＭあるいは外部メモリ１１には、ＣＰＵ１の制御プログラムであるオペレーティングシステムプログラム（以下ＯＳ）等を記録し、ＲＯＭ３のフォント用ＲＯＭあるいは外部メモリ１１には上記文書処理の際に使用するフォントデータ等を記録し、ＲＯＭ３のデータ用ＲＯＭあるいは外部メモリ１１には上記文書処理等を行う際に使用する各種データを記録する。ＲＡＭ２はＣＰＵ１の主メモリ、ワークエリア等として機能する。
【００１１】
キーボードコントローラ（ＫＢＣ）５は、キーボード９や不図示のポインティングデバイスからのキー入力を制御する。ＣＲＴコントローラ（ＣＲＴＣ）６は、ＣＲＴディスプレイ（ＣＲＴ）１０の表示を制御する。７はディスクコントローラ（ＤＫＣ）で、ブートプログラム、各種のアプリケーション、フォントデータ、ユーザファイル、編集ファイル、プリンタ制御コマンド生成プログラム（以下プリンタドライバ）等を記録するハードディスク（ＨＤ）、フロッピーディスク（ＦＤ）等の外部メモリ１１とのアクセスを制御する。プリンタコントローラ（ＰＲＴＣ）８は、双方向性インターフェース（インターフェース）２１を介してプリンタ１５００に接続されて、プリンタ１５００との通信制御処理を実行する。
【００１２】
なお、ＣＰＵ１は、例えばＲＡＭ２上に設定された表示情報ＲＡＭへのアウトラインフォントの展開（ラスタライズ）処理を実行し、ＣＲＴ１０上でのＷＹＳＩＷＹＧを可能としている。また、ＣＰＵ１は、ＣＲＴ１０上の不図示のマウスカーソル等で指示されたコマンドに基づいて登録された種々のウィンドウを開き、種々のデータ処理を実行する。ユーザは印刷を実行する際、印刷の設定に関するウィンドウを開き、プリンタの設定や、印刷モードの選択を含むプリンタドライバに対する印刷処理方法の設定を行える。
【００１３】
プリンタ１５００は、ＣＰＵ１２により制御される。プリンタＣＰＵ１２は、ＲＯＭ１３のプログラム用ＲＯＭに記憶された制御プログラム等あるいは外部メモリ１４に記憶された制御プログラム等に基づいてシステムバス１５に接続される印刷部（プリンタエンジン）１７に出力情報としての画像信号を出力する。また、このＲＯＭ１３のプログラムＲＯＭには、ＣＰＵ１２の制御プログラム等を記憶する。ＲＯＭ１３のフォント用ＲＯＭには上記出力情報を生成する際に使用するフォントデータ等が記憶され、ＲＯＭ１３のデータ用ＲＯＭには、ハードディスク等の外部メモリ１４がないプリンタの場合には、ホストコンピュータ上で利用される情報等が記憶されている。
【００１４】
ＣＰＵ１２は入力部１８を介してホストコンピュータとの通信処理が可能となっており、プリンタ内の情報等をホストコンピュータ３０００に通知できる。ＲＡＭ１９は、ＣＰＵ１２の主メモリや、ワークエリア等として機能するＲＡＭで、図示しない増設ポートに接続されるオプションＲＡＭによりメモリ容量を拡張する事ができるように構成されている。なお、ＲＡＭ１９は、出力情報展開領域、環境データ格納領域、ＮＶＲＡＭ等に用いられる。前述したハードディスク（ＨＤ）、ＩＣカード等の外部メモリ１４は、メモリコントローラ（ＭＣ）２０によりアクセスを制御される。外部メモリ１４は、オプションとして接続され、フォントデータ、エミュレーションプログラム、フォームデータ等を記憶する。また、１８は前述した操作パネルで操作のためのスイッチおよびＬＥＤ表示器等が配されている。
【００１５】
また、前述した外部メモリ１４は１個に限らず、複数個備えられ、内蔵フォントに加えてオプションカード、言語系の異なるプリンタ制御言語を解釈するプログラムを格納した外部メモリを複数接続できるように構成されていてもよい。更に、図示ＮＶＲＡＭを有し、操作パネル１５０１からのプリンタモード設定情報を記憶するようにしてもよい。
【００１６】
図２は、プリンタ等の印刷装置が直接接続されているか、あるいはネットワーク経由で接続されているホストコンピュータにおける典型的な印刷処理の構成図である。アプリケーション２０１、グラフィックエンジン２０２、プリンタドライバ２０３、およびシステムスプーラ２０４は、外部メモリ１１に保存されたファイルとして存在し、実行される場合にＯＳやそのモジュールを利用するモジュールによってＲＡＭ２にロードされ実行されるプログラムモジュールである。また、アプリケーション２０１およびプリンタドライバ２０３は、外部メモリ１１のＦＤや不図示のＣＤ−ＲＯＭ、あるいは不図示のネットワークを経由して外部ディスク１１のＨＤに追加することが可能となっている。外部メモリ１１に保存されているアプリケーション２０１はＲＡＭ２にロードされて実行されるが、このアプリケーション２０１からプリンタ１５００に対して印刷を行う際には、同様にＲＡＭ２にロードされ実行可能となっているグラフィックエンジン２０２を利用して出力（描画）を行う。
【００１７】
グラフィックエンジン２０２は、印刷装置ごとに用意されたプリンタドライバ２０３を同様に外部メモリ１１からＲＡＭ２にロードし、アプリケーション２０１の出力をプリンタドライバ２０３に設定する。そして、アプリケーション２０１から受け取るＧＤＩ(Graphic Device Interface)関数からＤＤＩ(Device Driver Interface)関数に変換して、プリンタドライバ２０３へＤＤＩ関数を出力する。プリンタドライバ２０３は、グラフィックエンジン２０２から受け取ったＤＤＩ関数に基づいて、プリンタが認識可能な制御コマンド、例えばＰＤＬ(Page Description Language)に変換する。変換されたプリンタ制御コマンドは、ＯＳによってＲＡＭ２にロードされたシステムスプーラ２０４を経てインターフェース２１経由でプリンタ１５００へ印刷データとして出力される仕組みとなっている。
【００１８】
本実施形態の印刷制御システムは、図２で示すプリンタとホストコンピュータからなる印刷制御システムに加えて、更に図３に示すように、アプリケーションからの印刷データを一旦中間コードデータでスプールする構成を有する。
【００１９】
図３は、図２のシステムを拡張したもので、グラフィックエンジン２０２からプリンタドライバ２０３へ印刷命令を送る際に、一旦中間コードからなるスプールファイル３０３を生成する構成をとる。図２のシステムでは、アプリケーション２０１が印刷処理から開放されるのはプリンタドライバ２０３がグラフィックエンジン２０２からのすべての印刷命令をプリンタの制御コマンドへ変換し終わった時点である。これに対して、図３のシステムでは、スプーラ３０２がすべての印刷命令を中間コードデータに変換し、スプールファイル３０３に出力した時点である。通常、後者の方が短時間で済む。また、図３で示すシステムにおいては、スプールファイル３０３の内容に対して加工することができる。これによりアプリケーションからの印刷データに対して、拡大縮小や、複数ページを１ページに縮小して印刷する等、アプリケーションの持たない機能を実現することができる。
【００２０】
これらの目的のために、図２のシステムに対し、図３のように中間コードデータでスプールするよう、システムの拡張がなされてきている。なお、印刷データの加工を行うためには、通常プリンタドライバ２０３が提供するウィンドウから設定を行い、プリンタドライバ２０３がその設定内容をＲＡＭ２上あるいは外部メモリ１１上に保管する。
【００２１】
以下、図３の詳細を説明する。図に示すとおり、この拡張された処理方式では、グラフィックエンジン２０２からの印刷命令をディスパッチャ３０１が受け取る。ディスパッチャ３０１がグラフィックエンジン２０２から受け取った印刷命令が、アプリケーション２０１からグラフィックエンジン２０２へ発行された印刷命令の場合には、ディスパッチャ３０１は外部メモリ１１に格納されているスプーラ３０２をＲＡＭ２にロードし、プリンタドライバ２０３ではなくスプーラ３０２へ印刷命令を送付する。
【００２２】
スプーラ３０２は受け取った印刷命令を中間コードに変換してスプールファイル３０３に出力する。また、スプーラ３０２は、プリンタドライバ２０３に対して設定されている印刷データに関する加工設定をプリンタドライバ２０３から取得してスプールファイル３０３に保存する。なお、スプールファイル３０３は外部メモリ１１上にファイルとして生成するが、ＲＡＭ２上に生成されても構わない。更にスプーラ３０２は、外部メモリ１１に格納されているスプールファイルマネージャ３０４をＲＡＭ２にロードし、スプールファイルマネージャ３０４に対してスプールファイル３０３の生成状況を通知する。その後、スプールファイルマネージャ３０４は、スプールファイル３０３に保存された印刷データに関する加工設定の内容に従って印刷を行えるか判断する。
【００２３】
スプールファイルマネージャ３０４がグラフィックエンジン２０２を利用して印刷を行えると判断した際には、外部メモリ１１に格納されているデスプーラ３０５に対して、スプールファイル３０３に記述された中間のコードの印刷処理を行うように指示する。
【００２４】
デスプーラ３０５はスプールファイル３０３に含まれる中間コードをスプールファイル３０３に含まれる加工設定の内容に従って加工し、もう一度グラフィックエンジン２０２経由で出力する。
【００２５】
ディスパッチャ３０１がグラフィックエンジン２０２から受け取った印刷命令がデスプーラ３０５からグラフィックエンジン２０２へ発行された印刷命令の場合には、ディスパッチャ３０１はスプーラ３０２ではなく、プリンタドライバ２０３に印刷命令を送る。
【００２６】
プリンタドライバ２０３はプリンタ制御コマンドを生成し、システムスプーラ２０４経由でプリンタ１５００に出力する。
【００２７】
図４は、プリンタ１５００の一例である両面印刷機能を有するカラーレーザプリンタの断面図である。
【００２８】
このプリンタはホストコンピュータ３０００より入力した印刷データに基づいて得られる各色毎の画像データで変調されたレーザ光をポリゴンミラー３１により感光ドラム１５を走査して静電潜像を形成する。そして、この静電潜像をトナー現像して可視画像を得、これを中間転写体９へ全色について多重転写してカラー可視画像を形成する。そして更に、このカラー可視画像を転写材２へ転写し、転写材２上にカラー可視画像を定着させる。以上の制御を行う画像形成部は、感光ドラム１５を有するドラムユニット、接触帯電ローラ１７を有する一次帯電部、クリーニング部、現像部、中間転写体９、用紙カセット１や各種ローラ３、４、５、７を含む給紙部、転写ローラ１０を含む転写部及び定着部２５によって構成されている。
【００２９】
ドラムユニット１３は、感光ドラム（感光体）１５と感光ドラム１５のホルダを兼ねたクリーニング機構を有するクリーナ容器１４とを一体に構成したものである。このドラムユニット１３はプリンタ本体に対して着脱自在に支持され、感光ドラム１５の寿命に合わせて容易にユニット交換可能に構成されている。上記感光ドラム１５はアルミシリンダの外周に有機光導電体層を塗布して構成し、クリーナ容器１４に回転可能に支持されている。感光ドラム１５は、図示しない駆動モータの駆動力が伝達されて回転するもので、駆動モータは感光ドラム１５を画像形成動作に応じて反時計回り方向に回転させる。感光ドラム１５の表面を選択的に露光させることにより静電潜像が形成されるように構成されている。スキャナ部３０では、変調されたレーザ光を、モータ３１ａにより画像信号の水平同期信号を同期して回転するポリゴンミラーにより反射し、レンズ３２、反射鏡３３を介して感光ドラムを照射する。
【００３０】
現像部は、上記静電潜像を可視画像化するために、イエロー（Ｙ）、マゼンダ（Ｍ）、シアン（Ｃ）の現像を行う３個のカラー現像器２０Ｙ、２０Ｍ、２０Ｃと、ブラック（Ｂ）の現像を行う１個のブラック現像器２１Ｂとを備えた構成を有する。カラー現像器２０Ｙ、２０Ｍ、２０Ｃ及びブラック現像器２１Ｂには、スリープ２０ＹＳ、２０ＭＳ、２０ＣＳ及び２１ＢＳと、これらスリープ２０ＹＳ、２０ＭＳ、２０ＣＳ、２１ＢＳそれぞれの外周に圧接する塗布ブレード２０ＹＢ、２０ＭＢ、２０ＣＢ及び２１ＢＢとがそれぞれ設けられる。また、３個のカラー現像器２０Ｙ、２０Ｍ、２０Ｃには塗布ローラ２０ＹＲ、２０ＭＲ、２０ＣＲが設けられている。
【００３１】
また、ブラック現像器２１Ｂはプリンタ本体に対して着脱可能に取り付けられており、カラー現像器２０Ｙ、２０Ｍ、２０Ｃは回転軸２２を中心にか移転する現像ロータリー２３にそれぞれ着脱可能に取り付けられている。
【００３２】
ブラック現像器２１Ｂのスリープ２１ＢＳは感光ドラム１５に対して例えば３００μｍ程度の微小間隔を持って配置されている。ブラック現像器２１Ｂは、器内に内蔵された送り込み部材によってトナーを搬送すると共に、時計回り方向に回転するスリープ２１ＢＳの外周に塗布ブレード２１ＢＢによって塗布するように摩擦帯電によってトナーへ電荷を付与する。また、スリープ２１ＢＳに現像バイアスを印加することにより、静電潜像に応じて感光ドラム１５に対して現像を行って感光ドラム１５にブラックトナーによる可視画像を形成する。
【００３３】
３個のカラー現像器２０Ｙ、２０Ｍ、２０Ｃは、画像形成に際して現像ロータリー２３の回転に伴って回転し、所定のスリープ２０ＹＳ、２０ＭＳ、２０ＣＳが感光ドラム１５に対して３００μｍ程度の微小間隔を持って対向することになる。これにより所定のカラー現像器２０Ｙ、２０Ｍ、２０Ｃが感光ドラム１５に対向する現像位置に停止し、感光ドラム１５に可視画像が作成される。
【００３４】
カラー画像形成時には、中間転写体９の１回転毎に現像ロータリー２３が回転し、イエロー現像器２０Ｙ、マゼンダ現像器２０Ｍ、シアン現像器２０Ｃ、次いでブラック現像器２１Ｂの順で現像工程がまされ、中間転写体９が４回転してイエロー、マゼンダ、シアン、ブラックのそれぞれのトナーに夜可視画像を順次形成し、その結果フルカラー可視画像を中間転写体９上に形成する。
【００３５】
中間転写体９は、感光ドラム１５に接触して感光ドラム１５の回転に伴って回転するように構成されたもので、カラー画像形成時に時計回り方向に回転し、感光ドラム１５から４回の可視画像の多重転写を受ける。また、中間転写体９は画像形成時に後述する転写ローラ１０が接触して転写材２を狭持搬送することにより転写材２に中間転写体９上のカラー可視画像を同時に多重転写する。中間転写体の外周部には、中間転写体９の回転方向に関する位置を検知するためのＴＯＰセンサ９ａ及びＲＳセンサ９ｂと、中間転写体に転写されたトナー像の濃度を検知するための濃度センサ９ｃが配置されている。
【００３６】
転写ローラ１０は、感光ドラム１５に対して接離可能に支承された転写帯電器を備えたもので、金属軸を中抵抗発泡弾性体により巻回することによって構成されている。
【００３７】
転写ローラ１０は、図４に実線で示すように中間転写体９条にカラー可視画像を多重転写している間は、カラー可視画像を乱さぬように下方に離開している。そして、上記中間転写体９上に４色のカラー可視画像が形成された後は、このカラー可視画像を転写材２に転写するタイミングにあわせてカム部材（不図示）により転写ローラ１０を図示点線で示す情報に位置させる。これにより転写ローラ１０は転写材２を介して中間転写体９に所定の押圧力で圧接すると共に、バイアス電圧が印加され、中間転写体９上のカラー可視画像が転写材２に転写される。
【００３８】
定着部２５は、転写２を搬送させながら、転写されたカラー可視画像を定着させるものであり、転写材２を加熱する定着ローラ２６と転写材２を定着ローラ２６に圧接させるための加圧ローラ２７とを備えている。定着ローラ２６と加圧ローラ２７とは中空状に形成され、内部にそれぞれヒータ２８、２９が内蔵されている。即ち、カラー可視画像を保持した転写材２は定着ローラ２６と加圧ローラ２７とにより搬送されると共に、熱及び圧力を加えることによりトナーが表面に定着される。
【００３９】
可視画像定着後の転写材２は、その後排紙ローラ３４、３５、３６によって排紙部３７へ排出して画像形成動作を終了する。
【００４０】
クリーニング手段は、感光ドラム１５上及び中間転写体９上に残ったトナーをクリーニングするものであり、感光ドラム１５上に形成されたトナーによる可視画像を中間転写体９に転写した後の廃トナーは、クリーナ容器１４に蓄えられる。
【００４１】
印刷される転写材（記録用紙）２は、給紙トレイ１から給紙ローラ３により取り出されて中間転写体９と転写ローラ１０との間に挟まれるようにして搬送されてカラートナー画像が記録され、定着部２５を通過してトナー像が定着される。片面印刷の場合には、案内３８が情報の排紙部に記録用紙を導くように搬送経路を形成するが、画面印刷に対しては、下方の両面ユニットに導くように経路を形成する。
【００４２】
両面ユニットに導かれた記録用紙は、搬送ローラ４０によりトレイ１の下部（二点鎖線で示す搬送経路）に一旦送り込まれた後に逆方向に搬送され、両面トレイ３９に送られる。両面トレイ３９上では、用紙は給紙トレイ１に載置された状態とは表裏が逆になり、また搬送方向について前後が逆になっている。この状態で再びトナー像の転写、定着を再度行うことで、両面印刷ができる。
【００４３】
図５は、スプーラ３０２における、スプールファイル３０３の生成におけるページ単位保存ステップの処理をフローチャートで示したものである。
【００４４】
まずステップＳ５０１では、アプリケーションからの印刷要求を受けつける。アプリケーションにおいては、図８に示すような印刷設定を入力するダイアログが表示され、このダイアログから入力された印刷設定がプリンタドライバよりスプーラ３０３に渡される。図８に示す設定入力ダイアログにおいては、８０１のような１物理ページにレイアウトする論理ページの数を決定するような設定項目を含んでいる。
【００４５】
ステップＳ５０２では、受け付けた印刷要求がジョブ開始要求か判定し、もしステップＳ５０２でジョブ開始要求であると判断した場合には、ステップＳ５０３に進み、中間データを一時的に保存するためのスプールファイル３０３を作成する。続いて、ステップＳ５０４では、スプールファイルマネージャ３０４へ印刷処理の進捗を通知し、続くステップＳ５０５でスプーラ３０２のページ数カウンタを１に初期化する。ここで、スプールファイルマネージャ３０４においては、印刷が開始されたジョブに対するジョブの情報や加工設定などをスプールファイル３０３より読み込み、記憶する。
【００４６】
一方、ステップＳ５０２において、ジョブ開始要求ではなかったと判断した場合には、ステップＳ５０６に進む。
【００４７】
ステップＳ５０６では、受け付けた要求がジョブ終了要求かどうかの判別を行う。ジョブ終了要求でないと判断した場合には、ステップＳ５０７に進み、改ページかどうかの判別を行う。もしもステップＳ５０７で改ページであると判断した場合には、ステップＳ５０８に進み、スプールファイルマネージャ３０４へ印刷処理の進捗を通知する。そしてページ数カウンタをインクリメントする。
【００４８】
ステップＳ５０７において、受け付けた印刷要求が改ページではないと判断した場合には、ステップＳ５０９に進み、中間ファイル書き出しの準備を行う。
【００４９】
次に、ステップＳ５１０では、印字要求のスプールファイル３０３へ格納するための変換処理を行う。ステップＳ５１１では、ステップＳ５１０において格納可能な形に変換された印刷要求をスプールファイル３０３へ書き込む。その後、ステップＳ５０１に戻り、再びアプリケーションからの印刷要求を受け付ける。この一連のステップＳ５０１からステップＳ５１１までの処理を、アプリケーションよりジョブ終了要求を受け取るまで続ける。
【００５０】
一方、ステップＳ５０６にて、アプリケーションからの印刷要求がジョブ終了であると判断した場合には、アプリケーションからの印刷要求は全て終了であるので、ステップ５１２に進み、スプールファイルマネージャ３０４へ印刷処理の進捗を通知し、処理を終える。
【００５１】
図６は、スプールファイルマネージャ３０４における、スプールファイル３０３生成プロセスと以降説明する印刷データ生成プロセスの間での制御の詳細をフローチャートで示したものである。
【００５２】
ステップＳ６０１では、スプーラ３０２あるいはデスプーラ３０５からの印刷処理の進捗通知を受け付ける。
【００５３】
ステップＳ６０２では、もし進捗通知が前述のステップＳ５０４において通知されるスプーラ３０２からの印刷開始通知であるかどうか判定し、もしそうであればステップＳ６０３へ進み、印刷の加工設定をスプールファイル３０３から読み込み、ジョブの管理を開始する。一方、ステップＳ６０２において、スプーラ３０２からの印刷開始通知であればステップＳ６０４へ進み、進捗通知が前述のステップ５０８において通知されるスプーラ３０２からの１論理ページの印刷終了通知であるかどうか判定する。ここで１論理ページの印刷終了通知であればステップ６０５へ進み、この論理ページに対する論理ページ情報を格納する。
【００５４】
そして、続くステップＳ６０６では、この時点でスプールが終了したｎ論理ページに対して、１物理ページの印刷が開始できるかを判定する。ここで、印刷可能である場合はステップＳ６０７へ進み、印刷する１物理ページに対して割り付けられる論理数から物理ページ番号を決定する。
【００５５】
物理ページの計算については、例えば、加工設定が１物理ページに４論理ページを配置するような設定の場合、第１物理ページは第４論理ページがスプールされた時点で印刷可能となり、第１物理ページとなる。続いて、第２物理ページは第８論理ページがスプールされた時点で印刷可能となる。
【００５６】
また、論理ページ数の総数が１物理ページに配置する論理ページ数の倍数でなくても。ステップ５１２におけるスプール終了通知によって１物理ページに配置する論理ページが決定可能である。
【００５７】
そして、ステップＳ６０８では、図９に示すような形式で、印刷可能となった物理ページを構成する論理ページ番号と、その物理ページ番号などの情報がデスプーラ３０５に通知される。その後ステップＳ６０１に戻り、次の通知を待つ。本実施形態においては、印刷データ１ページ、すなわち１物理ページを構成する論理ページがスプールされた時点で印刷ジョブのスプールが全て終了していなくても印刷処理が可能である。
【００５８】
一方、ステップＳ６０４において、進捗通知がスプーラ３０２からの１論理ページの印刷終了通知でなかった場合ステップＳ６０９へ進み、前述のステップＳ５１２において通知されるスプーラ３０２からのジョブ終了通知であるかを判定する。ここで、ジョブ終了通知である場合、前述のステップＳ６０６へ進む。一方、ジョブ終了通知でない場合、ステップ６１０へ進み、受け付けた通知がデスプーラ３０５からの１物理ページの印刷終了通知であるかどうか判定する。ここで、１物理ページの印刷終了通知である場合はステップ６１２へ進み、加工設定の印刷が全て終了したかを判定する。印刷終了した場合、ステップ６１２へ進み、デスプーラ３０５に印刷終了の通知を行う。一方、加工設定に対する印刷がまだ終了していないと判断した場合、前述の６０６へ進む。本実施形態におけるデスプーラ３０５は同時に印刷処理を行える物理ページ数を１と想定している。
【００５９】
ステップ６１０において、デスプーラ３０５からの１物理ページの印刷終了通知でないと判断された場合、ステップ６１３に進み、デスプーラ３０５からの印刷終了通知かどうかを判定する。デスプーラ３０５からの印刷終了通知と判定された場合、ステップ６１４へ進み、スプールファイル３０３の削除を行い処理を終える。一方、デスプーラ３０５からの印刷終了通知でなかった場合はステップ６１５へ進み、その他通常処理を行い、次の通知を待つ。
【００６０】
図７は、デスプーラ３０５における、印刷データの生成プロセスの詳細をフローチャートで示したものである。
【００６１】
デスプーラ３０５は、およびスプールファイルマネージャ３０４からの印刷要求に応じて、スプールファイル３０３から必要な情報を読み出して印刷データを生成する。生成された印刷データにおけるプリンタへの転送方法については図３で説明した通りである。
【００６２】
印刷データの生成では、まず、ステップ７０１において、前述のスプールファイルマネージャ３０４からの通知を入力する。続くステップ７０２では、入力された通知がジョブの終了通知かどうか判定し、ジョブ終了通知であるならばステップ７０３へ進み、デスプーラ３０５の処理終了の通知をスプールファイルマネージャ３０４に通知し、処理を終える。一方、ステップ７０２においてジョブ終了通知でない場合は、ステップ７０４に進み、前述のステップ６０８における１物理ページの印刷開始要求が通知されたかどうか判定する。ここで１物理ページの印刷開始要求と判定された場合、ステップ７０５へ進み、スプールファイルマネージャ３０４から渡された図９に示す情報とスプールファイル３０３とから、指定された物理ページの印刷データ生成に必要な情報を読み込み、印刷処理を行う。印刷処理はスプールファイル３０３に格納された印刷要求命令をデスプーラ３０５においてグラフィックエンジン２０２が認識可能な形式に変換し、転送する。本実施形態のような、複数論理ページを１物理ページにレイアウトするような加工設定については、このステップで縮小配置を考慮にいれながら変換する。
【００６３】
必要な印刷処理が終えたならば、続くステップ７０６において１物理ページの印刷データ生成終了の通知をスプールファイルマネージャ３０４に対して行う。そしてステップ７０１に戻り次の通知を待つ。
【００６４】
一方、ステップ７０４において開始要求と判定されなかった場合は、ステップ７０７へ進み、その他の通常処理を行い、ステップ７０１へ戻り次の通知を待つ。
【００６５】
以下、本実施形態における、枠線の付加方法について述べる。
【００６６】
図１０は、複数ページ印刷の設定画面の一例である。１００１に一覧されるページレイアウトから、複数ページ印刷を設定する。設定画面はプリンタドライバ２０２が表示し、必要な割振りを行う。また、１００２に示すように、用紙向きも設定可能である。さらに、１００３のボタンを押下することにより、ページ枠の設定が可能となっている。
【００６７】
また、図１１は１００３を押下することによって表示されるページ枠設定画面の一例である。１００１によって枠線の種類が一覧され、１１０２によって裏面に枠線をつけるかどうかの指定が可能である。また、１１０２は両面印刷が指定されているときに選択可能である。
【００６８】
図１３は図１１において、「裏面には枠線のみを着ける」が指定された場合の印刷処理を示すフローチャートである。
【００６９】
ステップ１３０１において、印刷するページ数Ｐ、Ｎページ印刷のＮを取得する。またカウンタＩを１に初期化する。
【００７０】
ステップ１３０２において、カウンタＩがＰより大きいならば印刷を終了したとして処理を終える。そうでない場合ステップ１３０３に進む。
【００７１】
ステップ１３０３において、出力用紙サイズを取得する。
【００７２】
ステップ１３０４において、とじ位置、とじ代を取得する。
【００７３】
ステップ１３０５において、有効印字領域を計算する。この際、表面と裏面とはとじ位置が反対になる。
【００７４】
ステップ１３０６において、各論理ページが描画される領域を分割する。
【００７５】
ステップ１３０７において、表面を描画するのか裏面を描画するのか判定する。ステップ１３０８において、表面に対して論理ページデータを各分割領域に対して描画する。描画の方法は、分割された領域に対して、用紙サイズが収まる最大に縮小し、余白の生じる部分についてはセンタリングを行い描画する。
【００７６】
ステップ１３０９において、カウンタｉをＮ増加させる。
【００７７】
ステップ１３１０において、裏面の各論理分割領域に対して枠線を描画する。描画の方法は１３０８と同様に用紙サイズが収まる最大領域に縮小し、余白の生じる部分についてはセンタリングを行う。また、枠線は用紙サイズをあらわすように描画する。
【００７８】
以上の処理により、枠線を裏側にのみ描画することによって、切り取り線としての枠線描画を効率的に行うことが可能となる。
（実施形態２）
実施形態１では描画データを表面のみに描画する方法について説明したが、本実施形態では、切り取りを考慮に入れて、裏面にもページデータを描画し、さらに枠線は裏面のみの描画する方法について説明する。この場合、図１３の１１０２は「枠を裏面にのみつける」などという表現に置き換わる。
【００７９】
図１４は本実施形態の流れを示すフローチャートである。
ステップ１３０１において、印刷するページ数Ｐ、Ｎページ印刷の値Ｎを取得する。また、カウンタＩを１に初期化する。
【００８０】
ステップ１４０１において、用紙向き１００１、Ｎｕｐの印字順８０１を取得する。
【００８１】
ステップ１３０２において、カウンタＩがＰより大きいならば印刷を終了したとして処理を終える。そうでない場合ステップ１３０３に進む。
【００８２】
ステップ１３０３において、出力用紙サイズを取得する。
【００８３】
ステップ１３０４において、とじ位置、とじ代を取得する。
【００８４】
ステップ１３０５において、各論理ページが描画される領域を分割する。
【００８５】
ステップ１３０７において、表面を描画するのか裏面を描画するのか判定する。ステップ１４０２において、表面に対して奇数論理ページデータを各分割領域に対して描画する。描画の方法は、分割された領域に対して、用紙サイズが収まる最大に縮小し、余白が生じる部分についてはセンタリングを行い描画する。
【００８６】
ステップ１４０３において、裏面に対して偶数論理ページデータを各分割領域に対して描画する。描画の方法は、分割された領域に対して、用紙サイズが収まる最大に縮小し、余白が生じる部分についてはセンタリングを行い描画する。
【００８７】
ステップ１３１０において、裏面の各論理分割領域に対して枠線を描画する。描画の方法は１３０８と同様に用紙サイズが収まる最大領域に縮小し、余白の生じる部分についてはセンタリングを行う。また、枠線は用紙サイズをあらわすように描画する。
【００８８】
ステップ１４０４において、カウンタｉをＮ増加させる。
【００８９】
実施形態１において説明したステップ６０６における印刷可能かどうかの判断は、本実施形態においては物理ページ単位ではなく、用紙単位となる。例えば、加工設定が１物理ページに４論理ページを配置するような設定の場合、第１物理ページと第２物理ページで構成される１枚目の用紙は第８論理ページがスプールされた時点で印刷可能となる。
【００９０】
図１５は図１４におけるステップ１４０３において、裏面描画の際Ｎページ印刷の印字順と用紙向きに対してどのように論理ページを配置するかまとめた図である。図中のＬＲＴＢは左上から右向き、ＲＬＴＢは左上から下向き、ＴＢＬＲは左上から下向き、ＴＢＲＬは右上から下向きには位置することを示す。
【００９１】
例えば、４ページ印刷でポートレートを左上から右向き、とじ方向Long Edgeで印刷する際、ＲＬＴＢすなわち右上から左向きに配置するように偶数ページを描画する。一方表面はステップ１４０２において奇数ページを印字順のとおりに配置すればよい。
【００９２】
以上の処理により、裏面にのみ枠線をつけることに加えて裏面にも描画データを印刷し、さらに切り取り後も両面印刷が正しくページ配置されるように印刷されることによって両面印刷のバリエーションが増加する。
【００９３】
なお、本発明は、複数の機器（例えばホストコンピュータ、インタフェイス機器、リーダ、プリンタなど）から構成されるシステムに適用しても、一つの機器からなる装置（複写機、プリンタ、ファクシミリ装置など）に適用してもよい。
また、本発明の目的は、前述した実施形態退き脳を実現するソフトウェアのプログラムコードを記憶した記憶媒体を、システムあるいは装置のコンピュータ（ＣＰＵやＭＰＵ）が記憶媒体に格納されたプログラムコードを読出し実行することによっても、達成される。
【００９４】
この場合、記憶媒体から読み出されたプログラムコード自体が前述した実施形態の機能を実現する事になり、そのプログラムコードを記憶した記憶媒体は本発明を構成することになる。
【００９５】
プログラムコードを供給するための記憶媒体としては、例えば、フロッピーディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれる。
【００９６】
さらに、記憶媒体から読出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれる。
【００９７】
【発明の効果】
以上説明したように、本発明かかる印刷制御システム、印刷制御方法および記憶媒体は、両面印刷可能なプリンタと接続されたパーソナルコンピュータ等の情報処理装置からなるシステムにおいて、前記情報処理装置においてアプリケーションからの複数ページを１ページに縮小レイアウトする手段と、アプリケーションからのページデータに対して枠線を描画する枠線描画手段と、前記情報処理装置において両面印刷を行う場合に、前記枠線描画手段を表面にも行うか、裏面にのみ行うかを指定する枠線描画面指定手段とを備えることにより、切り取り線を効果的に付加する印刷を提供すること可能とする。
【図面の簡単な説明】
【図１】本発明の一実施形態を示す印刷制御装置の構成を説明するブロック図である。
【図２】プリンタが接続されたホストコンピュータの典型的なプリントシステムの構成を示すブロック図である。
【図３】アプリケーションからの印刷命令をプリンタ制御コマンドに変換する前に、一旦中間コードスプールするプリントシステムの構成を示すブロック図である。
【図４】本発明におけるプリンタについて説明した図である。
【図５】スプーラ３０５における処理を示したフローチャートである。
【図６】スプールファイルマネージャ３０４における印刷制御および物理ページ番号の決定について示したフローチャートである。
【図７】デスプーラ３０５における処理を示したフローチャートである。
【図８】印刷設定画面の一例を示す図である。
【図９】スプールファイルマネージャ３０４からデスプーラ３０５に対して物理ページの印刷要求を行う際に渡すデータ形式の一例を示した図である。
【図１０】複数ページ印刷の設定画面の一例を示す図である。
【図１１】ページ枠設定画面の一例を示す図である。
【図１２】両面印刷の設定画面の一例を示す図である。
【図１３】実施形態１の処理を示すフローチャートである。
【図１４】実施形態２の処理を示すフローチャートである。
【図１５】Ｎページ印刷の印字順と用紙向きに対する論理ページの配置についてまとめた図である。
【符号の説明】
１  ＣＰＵ
２  ＲＡＭ
３  ＲＯＭ
４  システムバス
１２  ＣＰＵ
１３  ＲＯＭ
１９  ＲＡＭ
３０００  ホストコンピュータ
１５００  プリンタ
【図１】
0004475619.tif 000002
【図２】
0004475619.tif 000003
【図３】
0004475619.tif 000004
【図４】
0004475619.tif 000005
【図５】
0004475619.tif 000006
【図６】
0004475619.tif 000007
【図７】
0004475619.tif 000008
【図８】
0004475619.tif 000009
【図９】
0004475619.tif 000010
【図１０】
0004475619.tif 000011
【図１１】
0004475619.tif 000012
【図１２】
0004475619.tif 000013
【図１３】
0004475619.tif 000014
【図１４】
0004475619.tif 000015
【図１５】
0004475619.tif 000016